(57)【要約】【課題】  杖において、複数の径のシャフトにも容易に取り付けることができ、且つ、簡単に着脱できる弾性足を提供すること。【解決手段】  弾性足の上側に異径の環状溝を複数本設け、任意に選択された一つの環状溝にこの環状溝に合致したシャフトを挿入し取り付けたもの、あるいはシャフトの内面に自己の有する弾性によって圧接し、前記足を前記シャフトに弾性保持する弾性保持部材を前記足に設けたもの。【選択図】図２
0003152707.tif 000002
【実用新案登録請求の範囲】
【請求項１】
上端に把手を備えた管状のシャフトの下端にゴム等の弾性材料から形成した足を設けた杖において、前記の足の上側に異径の環状溝を複数本設け、任意に選択された一つの環状溝にこの環状溝に合致したシャフトを挿入し取り付けた杖。
【請求項２】
前記シャフトが挿入されない残余の環状溝に充填管を充填した前記請求項１記載の杖。
【請求項３】
上端に把手を備えた管状のシャフトの下端に弾性材料からなる足を着脱自在に取り付けた杖において、前記シャフトの内面に自己の有する弾性によって圧接し、前記足を前記シャフトに弾性保持する弾性保持部材を前記足に設けたものである杖。
【考案の詳細な説明】
【技術分野】
【０００１】  本考案は、杖に関し、特にシャフトの下端に着脱自在に設けられたゴム等の弾性足を備えた杖に関するものである。【０００２】  更に詳しく説明すると、本考案は、特に、複数径のシャフトに対応できる弾性足を備え、あるいは弾性の足を弾性的に管状シャフトに保持する弾性保持部材を有する杖に関するものである。
【背景技術】
【０００３】  従来、特許文献１に記載されているように、シャフトの下端に滑り止めの弾性足を設け杖が一般的に知られている。
【先行技術文献】
【特許文献】
【０００４】
【特許文献１】実用新案登録第３１４０２６６号公報
【考案の概要】
【考案が解決しようとする課題】
【０００５】  従来の杖のシャフトの下端には、滑り止めのゴム製足が設けられており、歩行時に杖が滑って使用者が転倒し、怪我をするなどの事故を未然に防止している。
しかしながら、従来の足は唯一の径のシャフトにのみ設けることができるものであって、径の相違するシャフトには適用できないものとなっている。
従って、使用者が、自己の体格や好みに応じてシャフトの径を変えたいという要求を満たすことができないものである。【０００６】  又、従来は、足がシャフトに恒久的な接着剤で固着されているので、足の磨耗に応じて足を交換したいという要求に対しても充分に対応できるものではない。
そこで本考案の主たる目的は、複数の径のシャフトにも容易に取り付けることができる杖を提供することであり、他の目的は足を簡単に着脱交換できる杖を提供することである。
【課題を解決するための手段】
【０００７】  前記主たる目的を達成するために、本考案は、上端に把手を備えた管状のシャフトの下端にゴム等の弾性材料から形成した足を設けた杖において、前記の足の上側に異径の環状溝を複数本設け、任意に選択された一つの環状溝にこの環状溝に合致したシャフトを挿入し取り付けたものであり、他の目的は、シャフトの内面に自己の有する弾性によって圧接し、前記足を前記シャフトに弾性保持する弾性保持部材を前記足に設けることによって達成される。
【考案の効果】
【０００８】  本考案は前述のように構成したものであるから、複数の径のシャフトにも容易に取り付けることができ、更には、簡単に着脱交換できる弾性足を具備する杖を提供することができるものである。
【図面の簡単な説明】
【０００９】
【図１】本考案の一実施例を示す杖全体の外観図。
【図２】同じくシャフトの下端に取り付けられる足の縦断面図。
【図３】同じく弾性保持部材を除いた足の上面図。
【図４】同じく足に大径のシャフトを取り付けた状態の縦断面図。
【図５】図４において充填管を挿入した状態の縦断面図。
【図６】同じく足に小径のシャフトを取り付けた状態の縦断面図。
【図７】図６において充填管を挿入した状態の縦断面図。
【考案を実施するための形態】
【００１０】  本考案は、上端に把手を備えた管状のシャフトの下端にゴム等の弾性材料から形成した足を設けた杖において、前記の足の上側に二つの異径の環状溝を設け、任意に選択された一つの環状溝にこの環状溝に合致したシャフトを挿入し取り付け、更に、前記シャフトが挿入されない残余の環状溝に充填管を充填するように杖を構成したものである。
又、シャフトの内面に自己の有する弾性によって圧接し、前記足を前記シャフトに弾性保持する弾性保持部材を前記足の上方に向けて設けたものである。
【実施例】
【００１１】  以下、図に基づいて一実施例の構成を説明する。
図１において、１はステンレスやアルミニウム製のパイプからなり、杖本体を構成するシャフトである。このシャフト１の上端には使用者が握る把手２、下端には、滑り止めのために弾性の材料からなる足３が設けられている。
前記、シャフト１として鉄製のパイプを用いる場合は、錆び止めの塗料を塗ったり、保護フィルムを巻いたりする必要があり、又、重量も相当あるので、前記したように、軽いステンレスやアルミニウム、あるいはマグネシウムなどのパイプ材が好適といえる。【００１２】  次に、図２、図３に基づいて本考案の足について説明する。
足３は、前述のように使用時、雨にぬれた路面に接した場合でも滑らない硬質ゴムやプラスチックで形成されており、上方から見ると円形、横から見ると中ほどにボス３１が突出した台形に類似した形状に形成している。この形状は、上下の二つの割型で製造できるように生産性を考慮したものである。【００１３】  そして、中ほどのボス３１部の外周には、小径の環状溝３２、この外周に大径の環状溝３３を形成している。小径の環状溝３２の内径を１４．５ｍｍ、外形を１６．０ｍｍとし、大径の環状溝の内径を１７．５ｍｍ、外形を１９．０ｍｍとしている。
これは、後述する二種類のシャフト１１あるいは１２の径に合わせたものである。【００１４】  ４は、前記足３に図示のようにインサートによって埋設された弾性保持部材で、燐青銅板等の一枚のばね材料からなり、横から見て逆電球状に折り曲げ構成したものである。この弾性保持部材４の自然状態における上方の最も間隔の大きいＷ寸法は、足に挿入される大径のシャフト１１の内径、すなわち大径の環状溝３３の内径よりも大きくなるように形成されている。この差が大きいほど弾性保持部材がシャフトの内面を圧接する力が大きくなり、それだけ足３の保持力が大きくなる。
尚、４１は弾性保持部材が足３から容易に離脱しないように、この弾性保持部材４の下端を横方向に折り曲げた折り曲げ部である。【００１５】  次に、シャフト１を足３に挿入し取り付ける場合について説明する。
図４は大径の環状溝３３に大径のシャフト１１を取り付けた状態を示す図である。すなわち、大径のシャフト１１を足３の大径の環状溝３３に挿入し、ゴム等の弾性を利用して取り付ける。このとき弾性保持部材４がシャフト１１の内面に強く圧接し、これによって足３が抜けるのを防止する。尚、足の固定に不安があるときは必要に応じて両者を接着剤で確実に固着するようにすれば良い。尚、大径のシャフト１１の内径と外形寸法は前記大径の環状溝３３の内径と外形寸法に一致させてあることは当然である。【００１６】  前記において、大径のシャフト１１を大径の環状溝３３に挿入し、弾性的に取り付けただけでは小径の環状溝３２が空間として残り、シャフト１を足３に安定的に固定できないので、本考案では図５に示すように、残余の小径の環状溝３２に充填管５１を充填し、シャフト１の下端に強固に足３を固定するようにしてある。
尚、この充填管５１は後述する小径のシャフト１２に使用するパイプ材を所望の寸法に切断して使用すれば簡単である。一方、足３と同じ例えばゴム等の材料でこの充填管５１を製造することを除外するものではない。【００１７】  図６は、小径の環状溝３２に小径のシャフト１２を取り付けた状態を示す図である。すなわち、小径のシャフト１２を足３の小径の環状溝３２に挿入し、ゴム等の弾性を利用して取り付ける。このとき弾性保持部材４もシャフト１２の内面に強く圧接し、これによって足３が抜けるのを防止する。尚、前述足の固定に不安があるときは前述と同様にして必要に応じ両者を接着剤で確実に固着するようにすれば良い。【００１８】  前記において、小径のシャフト１２を小径の環状溝３２に挿入し、弾性的に取り付けただけでは大径の環状溝３３が空間として残り、シャフト１２を足３に安定的に固定できないので、本考案では図７に示すように、残余の大径の環状溝３３に充填管５２を充填し、シャフト１２の下端に強固に足３を固定するようにしてある。
尚、この充填管５２は前記大径のシャフト１１に使用するパイプ材を所望の寸法に切断すれば簡単に得ることができる。一方、足３と同じ例えばゴム等の材料でこの充填管５２を製造するようにしても良い。
【符号の説明】
【００１９】  １、１１、１２  シャフト、２  把手、３  足、３１  ボス、３２、３３  環状溝、４  弾性保持部材、４１  折り曲げ部、５１、５２  充填管、Ｗ  最大間隔寸法。
【図１】
0003152707.tif 000003
【図２】
0003152707.tif 000004
【図３】
0003152707.tif 000005
【図４】
0003152707.tif 000006
【図５】
0003152707.tif 000007
【図６】
0003152707.tif 000008
【図７】
0003152707.tif 000009
【手続補正書】
【提出日】平成21年5月20日(2009.5.20)
【手続補正１】
【補正対象書類名】実用新案登録請求の範囲
【補正対象項目名】全文
【補正方法】変更
【補正の内容】
【実用新案登録請求の範囲】
【請求項１】
上端に把手を備えた管状のシャフトの下端にゴム等の弾性材料から形成した足を設けた杖において、前記の足の上側に異径の環状溝を複数本設け、任意に選択された一つの環状溝にこの環状溝に合致したシャフトを挿入し取り付けた杖。
【請求項２】
前記シャフトが挿入されない残余の環状溝に充填管を充填した前記請求項１記載の杖。
【請求項３】
上端に把手を備えた管状のシャフトの下端に弾性材料からなる足を着脱自在に取り付けた杖において、前記シャフトの内面に自己の有する弾性によって圧接し、前記足を前記シャフトに弾性保持する弾性保持部材を前記足に設けた前記請求項１記載の杖。